(57)【要約】      （修正有）【課題】簡単な作業で、容易に、水中におけるルアーの動きやルアーが潜水する深度を調節することができ、かつ、より集魚効果の高い水流波動を発生させることができるルアーを提供する。【解決手段】ルアーは、ルアー本体１０と、ルアー本体１０に着脱自在であり、進水時の水流を整えるための複数の整流片３０を有するリップ２０を備える。特に、複数の整流片３０は、リップ本体２２の中央付近にリップ本体２２の中心軸に対して平行な整流片群３２と、この平行な整流片群３２の両脇にリップ先端部２８に向かいリップ本体２２の中心に対して外方を向く角度に傾斜した整流片群３４，３６とを含む。これにより、進水時の水流を整え、ルアー本体から発生する水流と相まって、集魚効果の高い水流波動を発生させることができる。【選択図】図１
0003163368.tif 000002
【実用新案登録請求の範囲】
【請求項１】
ルアー本体（１０）と，
前記ルアー本体（１０）に着脱自在のリップ（２０）を有し，
前記リップ（２０）は，その裏面に，進水時の水流を整えるための複数の整流片（３０）を有する
ルアー。
【請求項２】
前記リップ（２０）は，
リップ本体（２２）と，
前記リップ本体（２２）より横幅が細く，前記リップ本体（２２）の一端から延伸する差込部（２４）とを有し，
前記ルアー本体（１０）は，
前記リップ（２０）の差込部（２４）が差し込まれる挿入口（１２）を有し，
前記リップ（２０）の差込部（２４）が，前記ルアー本体（１０）の挿入口（１２）に抜き差しされることにより，リップ（２０）が着脱自在に交換可能である
請求項１に記載のルアー。
【請求項３】
前記ルアー本体（１０）は，
前記挿入口（１２）の下部から突出し，前記リップ（２０）を支持するリップ支持部（１４）を有し，
前記リップ支持部（１４）は，
前記リップ（２０）と接触する面に，突起部（１５）を有し，
前記リップ（２０）は，
前記差込部（２４）の端から前記リップ本体（２２）の途中まで形成された，前記リップ支持部（１４）の突起部（１５）が進退する溝であるガイド（２６）を有する
請求項２に記載のルアー。
【請求項４】
前記複数の整流片（３０）は，
前記リップ本体（２２）の中央付近に，前記リップ本体（２２）の中心軸に対して平行な整流片群（３２）と，
前記平行な整流片群（３２）の両脇に，リップ先端部（２８）に向かって，リップ本体（２２）の中心に対して外方を向く角度に傾斜した整流片群（３４，３６）とを含み，
これにより，ルアーの進水時における水流を整え，前記ルアー本体に沿って発生する水流と相まって，集魚効果の高い水流波動を発生させる
請求項２に記載のルアー。
【請求項５】
前記差込部（２４）が延伸する一端とは反対のリップ先端部（２８）は，
前記差込部（２４）よりも薄く形成されている
請求項２に記載のルアー。
【請求項６】
前記差込部（２４）が延伸する一端とは反対のリップ先端部（２８）は，
前記差込部（２４）よりも厚く形成されている
請求項２に記載のルアー。
【考案の詳細な説明】
【技術分野】
【０００１】
本考案は，着脱自在なリップを備え，自由自在にリップを交換することができるルアーに関する。また，本考案は，進水時の水流を整えるための整流片をリップに設けることにより，集魚効果の高い水流波動を発生させることができるルアーに関する。
【背景技術】
【０００２】
従来から，釣り道具の一種として，形状や色彩を実際の魚に似せたルアーが知られている。一般的に，ルアーの先端部には，水中におけるルアーの動きや，ルアーが潜水する深度を調整する機能を持つ板状のリップが固定される。
【０００３】
従来のルアーは，リップがルアー本体に，接着あるいは一体形成されるものであった。従って，水中におけるルアーの動きやルアーが潜水する深度を変更するためには，一度，釣り竿からルアーを取り外し，異なるリップが固定されているルアーに取り替える必要があった。すなわち，ルアーを使用した魚釣りでは，釣りを行う時間帯や場所，潮流の具合に応じてルアーの游泳動作の細かい調整を行うことが必要であるが，ルアーの游泳動作の調整を行う度に，ルアー自体を取り替えるという作業は極めて煩雑なものであった。
【０００４】
また，従来から，より本物の小魚の游泳に近い動作をするルアーが求められている。
【先行技術文献】
【特許文献】
【０００５】
【特許文献１】特開２０１０−６８７１２
【考案の概要】
【考案が解決しようとする課題】
【０００６】
そこで，本考案は，簡単な作業で，容易に，水中におけるルアーの動きやルアーが潜水する深度を調節することができるルアーを提供することを目的とする。
【０００７】
また，本考案は，より集魚効果の高い水流波動を発生させることができるルアーを提供することを目的とする。
【課題を解決するための手段】
【０００８】
本考案は，基本的には，進水時の水流を整える整流片３０を形成したリップ２０を，ルアー本体１０から着脱自在とすることにより，簡易な操作で，ルアーの動きや潜水の深度を調節することができ，かつ，より集魚効果の高い水流波動を発生させることができるという知見に基づく。
【０００９】
本考案に係るルアー１００のリップ２０は，リップ本体２２より横幅が細くリップ本体２２の一端から延伸する差込部２４を有する。また，ルアー本体１０は，リップ２０の差込部２４が差し込まれる挿入口１２を有する。このように，ルアー１００は，リップ２０の差込部２４が，ルアー本体１０の挿入口１２に抜き差しされることにより，容易に，リップ２０を交換することが可能である。
【００１０】
本考案に係るルアー１００の好ましい態様において，ルアー本体１０は，挿入口１２の下部から突出し，リップ２０を支持するリップ支持部１４を有する。そして，リップ支持部１４には，リップ２０と接触する面に突起部１５が形成されている。突起部１５は，図１Ａに示すように，環状に形成されたものであってもよい。また，リップ２０は，差込部２４の端部からリップ本体２２の途中にかけて形成された溝であるガイド２６を有する。このガイド２６は，リップ支持部１４の突起部１５が進退する。ルアー本体１０とリップ２０が，それぞれ突起部１５とガイド２６を有していることにより，リップ２０をルアー本体１０に着脱する操作がより容易になる。また，リップ２０をルアー本体１０に装着した際に，リップ２０がルアー本体１０から脱落することを防止することができる。
【００１１】
本考案に係るルアー１００の好ましい態様において，リップ１０に形成された複数の整流片３０は，リップ本体２２の中央付近に，リップ本体２２の中心軸ａに対して平行な整流片群３２を含む。そして，平行な整流片群３２の両脇に，リップ本体２２の中心からリップ先端部２８に向かい，外方を向く角度に傾斜した整流片群３４，３６を含む。これにより，ルアー１００は，進水時の水流を整え，ルアー本体１０から発生する水流と相まって，集魚効果の高い水流波動を発生させることができる。
【００１２】
本考案に係るルアー１００の好ましい態様において，リップ先端部２８は，差込部２４よりも薄く形成されている。このように，リップ先端部２８を，差込部２４と比較して薄く形成することにより，水中における游泳時に，その薄い部分で水流を切り裂き，ルアーに切れのある動きをさせることができる。
【００１３】
本考案に係るルアー１００の好ましい態様において，リップ先端部２８は，差込部２４よりも厚く形成されている。このように，リップ先端部２８を差込部２４より厚く形成することにより，游泳時におけるリップの撓みを軽減し，ルアーを安定して動かすことができる。
【考案の効果】
【００１４】
本考案に係るルアーは，リップがルアー本体から着脱自在となっているため，簡単な作業で，容易に，ルアーの動きや潜水の深度を調節することができる。また，リップに水の流れを整える整流片が設けられているため，より集魚効果の高い水流波動を発生させることができる。
【図面の簡単な説明】
【００１５】
【図１】図１は，本考案に係るルアーの基本構成を示す図である。図１Ａは，本考案に係るルアーの右側面図を示す。図１Ｂは，本考案に係るルアーのリップの基本構成を示す底面図である。
【図２】図１は，本考案に係るルアーの基本構成を示す図である。図２Ａは，本考案に係るルアーの右側面図を示す。図２Ｂは，本考案に係るルアーのリップの基本構成を示す底面図である。
【図３】図３は，異なる厚みのリップを有する本考案に係るルアーを示す図である。
【図４】図４は，本考案に係るルアーの動作例を示す図である。図４Ａは，ルアー本体からリップが取り外された状態を示す図である。図４Ｂは，ルアー本体にリップが装着される途中の状態を示す図である。図４Ｃは，ルアー本体にリップが装着された状態を示す図である。
【図５】図５は，本考案に係るルアーの進水時における水の流れを示した概念図である。
【考案を実施するための形態】
【００１６】
以下，図面を用いて，本考案を実施するための形態について説明する。ただし，本考案は，以下の実施の形態に限定されるものではなく，当業者にとって自明な範囲で適宜修正したものを含む。
【００１７】
図１は，本考案に係るルアー１００の基本構成を示す図である。図１Ａに示すように，ルアー１００は，ルアー本体１０とリップ２０を有する。そして，リップ２０の裏面には，水流を整えるための複数の整流片３０が設けられている。
【００１８】
ルアー本体１０の色彩や形状は，適宜変更することができる。ルアー本体１０の色彩や形状は，ルアー１００を使用する海や川，又は湖に生息し，釣りの対象となる魚の餌となる小魚の色彩や形状に似せればよい。例えば，図１Ａに示すように中腹が膨らんだ魚に似せた形状であっても良いし，細身の魚に似せた形状（図示しない）であってもよい。ルアー本体１０の全長は，用途に応じて適宜調整すればよい。ルアー本体１０の全長の例としては，例えば，４０ｍｍ〜７０ｍｍであってもよいし，５０ｍｍ〜６０ｍｍであってもよい。特に，ルアー本体１０の全長は，５５ｍｍであることが好ましい。
【００１９】
また，ルアー本体１０は，適当な位置にフック取付部１１を設けることとしてもよい。特に，図１Ａに示すように，ルアー本体１０の中腹と，ルアー本体１０の尾部にフック取付部を設けることが好ましい。また，ルアー本体１０には，リップ２０が取り付けられている位置の下部に，リップ２０を支持するためのリップ支持部１４が形成されている。リップ支持部１４は，ルアー本体１０の一部を延伸するようにして形成されている。リップ支持部１４のリップ２０と接触する表面には，後述するリップ２０に設けられたガイド２６を進退する突起部１５が設けられる。
【００２０】
リップ２０は，ルアー本体１０に着脱自在な構成を有する。リップ２０の形状の一例を図１Ｂに示す。図１Ｂにおいて，リップ２０は，リップ本体２２の一端から，リップ本体よりも横幅が細い差込部２４が延伸するように形成されている。差込部２４の端部の角部は，テーパー形状となっている。従って，リップ２０をルアー本体１０に差し込みやすくなっている。なお，リップ２０の色彩は，水中において目立たないものであることが好ましい。例えば，リップ２０は，透明又は半透明であることが好ましい。リップ２０の材料には，公知の素材を用いることができるが，透明性や耐衝撃性の高いポリーカーボネートを用いることが好ましい。
【００２１】
また，図１Ｂにおいて，リップ本体２２は，差込部２４が延伸する一端からリップ先端部２８に向かうにつれて幅広となる略台形状である。リップ本体２２の形状によっては，ルアー１００の水中での動きや潜水の深度が変化するが，図１Ｂに示すリップ本体２２は，比較的短く形成されているため，比較的浅い深度の水中において素早く切れのある動きをする。
【００２２】
また，差込部２４の端部からリップ本体２２の途中まで，直線的に，溝であるガイド２６が形成されている。ガイド２６は，リップ２２の中心軸ａに沿って形成されていることが好ましい。ガイド２６は，リップ２０がルアー本体１０に着脱される際に，先述したリップ支持部１４に設けられた突起部１５が進退するための通路である。ガイド２６の終着点には，ガイド２６の幅よりも幅広となっている係止部２７が形成されている。そして，リップ２０がルアー本体１０に完全に装着されると，突起部１５は，ガイド２６の終着点である係止部２７に係止される。これにより，リップ２０が，ルアーの使用者の意に反して，ルアー本体１０から脱落することを防止することができる。
【００２３】
図２Ｂに示すように，リップ２０の裏面（底面）には，水の流れを調節するための複数の整流片３０が設けられる。複数の整流片３０は，リップ２０の中心付近に，リップ２０の中心軸ａに対して平行な整流片群３２を含む。また，複数の整流片３０は，平行な整流片群３２の両脇に，リップ先端部２８に向かって，リップ２０の中心に対して外方を向く角度に傾斜した整流片群３４，３６を含む。傾斜する整流片群３４，３６は，略台形状であるリップ本体２２の側辺の傾きに対して平行であることとしてもよい。また，傾斜する整流片群３４，３６に含まれる整流片は，すべて同一の傾斜を有していることが好ましい。傾斜する整流片群のうちの１つとリップ２０の中心軸ａのなす角度は，例えば，１０度から４０度，２０度から３０度，１５度から４５度，２５度から３５度があげられる。このように，リップの裏面には，リップ２０の裏面を３つの領域に分けた場合に，その中央領域に中心軸ａに対して平行な整流片群３２が設けられ，その左右の領域に傾斜した整流片群３４，３６が設けられる。リップの裏面に形成された整流片３０の高さの例は，０．１ｍｍから０．５ｍｍ，０．２ｍｍから０．４ｍｍ，又は０．３ｍｍである。
【００２４】
リップ２０は，差込部２４が延伸する端部からリップ先端部２８にかけて同一の厚さで形成されていてもよい。リップ２０の厚さの例は，０．５ｍｍから２ｍｍ，又は１ｍｍから１．５ｍｍである。また，リップ２０は，差込部２４が延伸する端部からリップ先端部にかけて，その厚さが異なるものであってもよい。例えば，図３Ａ，図３Ｃに示すように，リップ２０の差込部２４の厚みと比較し，リップ先端部２８の厚みは薄いものであってもよい。例えば，差込部２４の厚みが０．５ｍｍであるとした場合，リップ先端部２８の厚みを０．１ｍｍとしてもよい。また，図３Ｂ，図３Ｄに示すように，リップ２０の差込部２４の厚みと比較し，リップ先端部２８の厚みは厚いものであってもよい。例えば，差込部２４の厚みが０．５ｍｍであるとした場合，リップ先端部２８の厚みを１ｍｍとしてもよい。このように，差込部２４が延伸する端部からリップ先端部２８にかけて，素材の厚みを変化させる場合，素材の厚みが徐々に変化することとしてもよいし，素材の厚みが段階的に変化することとしてもよい。
【００２５】
図２は，上記とは別の態様の本考案に係るルアー１００の基本構成を示す図である。図１に示すルアー１００の基本構成を重複する部分については，説明を省略する。
【００２６】
図２Ａに示すように，ルアー１００は，ルアー本体１０とリップ２０を有する。ここで，図１Ａに示すルアー１００と比較し，図２Ａに示すルアー１００は，ルアー本体１０の先端に装着されたリップ２０の長さが長くなっている。図２Ｂに示すように，リップ２０は，リップ本体２２の長さが，図１Ｂに示すリップ本体２２の長さに比べ２倍程度長くなっている。また，図２Ｂに示すリップ本体２２は，略六角形状で形成されている。リップ本体２２の形状によっては，ルアー１００の水中での動きや潜水の深度が変化するが，図２Ｂに示すリップ本体２２は，比較的長く形成されているため，比較的深い深度の水中において，安定した動きをする。
【００２７】
このように，リップ２０は，リップ本体２２の長さや形状が異なると，ルアー１００の水中における動きや潜水の深度が異なる。本考案に係るリップ２０は着脱自在であるため，予め様々な種類のリップ２０を準備することによって，ルアー１００の用途に応じて，ルアー１００の水中における動きや潜水の深度を容易に調整することができる。
【００２８】
図４は，リップ２０をルアー本体１０から着脱する方法について説明するための図である。図４Ａは，リップ２０がルアー本体１０から完全に取り外された状態を示している。そして，図４Ｂは，リップ２０がルアー本体に着脱される途中の状態を示している。図４Ｂに示すように，ルアー本体１０の挿入口１２の下部から延伸するリップ支持部１４の表面に形成された突起部１５に対して，リップ２０の差込部２４の端部からリップ本体２２の途中まで形成された溝であるガイド２６が嵌め込まれる。このように突起部１５にガイド２６が嵌め込まれた状態で，突起部１５がガイド２６に進入するようにして，リップ２０をルアー本体１０に押し込むと，リップ２０の差込部２４が，ルアー本体１０の挿入口１２に差し込まれる。そして，リップ２０が本体１０に完全に装着される。図４Ｃは，リップ２０が本体１０に完全に装着された状態を示す図である。図４Ｂに示す状態から，さらにリップ２０を本体１０の方向へ押し込むと，リップ２０の差込部２４がルアー本体１０の挿入口１２に完全に差し込まれる。差込部２４が完全に差し込まれると，リップ本体２２がルアー本体１０と接触する。また，リップ２０に形成されたガイド２６の終着点には，横幅がガイド２６より広くなっている係止部２７が形成されている。リップ２０がルアー本体１０に完全に装着された状態において，ルアー本体１０の突起部１５は，リップ２０の係止部２７に係止される。
【００２９】
図５は，ルアー１００の進水時において，ルアー１００の周囲に発生する水の流れを示した概念図である。ルアー１００が，水中をリップ２０が設けられた方向に進行した場合，リップ２０の裏面に整流片３０が設けられていることより，Ｒ１，Ｒ２，及びＲ３方向からルアー１００に対して水が流入する。つまり，リップ２０の中心軸に対して平行に設けられた整流片群３２に沿って，Ｒ２方向から水が流入する。またリップ２０の中心から外方に向かって傾斜した整流片群３４，３６に沿って，Ｒ１方向及びＲ３方向から水が流入する。このようにして，Ｒ２方向からリップ２０の中心軸に対して平行に流入してきた水流と，Ｒ１方向又はＲ３方向からリップ２０の中心軸に対して傾斜して流入してきた水流が，リップ２０の裏面において一度合流する。このように，リップ２０の裏面において水流が合流することにより，リップ２０が振動し，ルアー１００が水流波動を発生させる。さらに，リップ２０の整流片３０に沿ってＲ１，Ｒ２，及びＲ３方向から流入してきた水流は，リップ２０の裏面において一度合流したのち，ルアー本体１０の形状に沿って，Ｒ１´，Ｒ２´，及びＲ３´方向に流出する。つまり，ルアー本体１０は，流線型で丸みを帯びた形状であるため，水流は，ルアー本体１０の底部に沿ってＲ２´方向に流出するだけでなく，ルアー本体１０の側部に向かうＲ１´又はＲ３´方向にも流出する。このとき，Ｒ１´又はＲ３´方向に流出した水流は，流線型のルアー本体１０の側部に沿ってＲ４又はＲ５方向から流入してきた水流と合流する。すると，ルアー本体１０の側部において合流した水流によって，水流波動が生じる。さらに，流線型のルアー本体１０の底部に沿ってＲ２´方向に流出する水流と，ルアー本体の側部に沿ってＲ４´又はＲ５´方向に流出する水流が，ルアー本体１０の尾部において合流する。従って，ルアー本体１０の尾部において合流した水流によって，水流波動が生じる。このように，リップ２０に整流片３０が設けられることにより発生する水流波動と，整流片３０によって整えられた水流とルアー本体１０の周囲の水流とが相まって発生させる水流波動との相乗効果によって，ルアー１００に，より集魚効果の高い動きをさせることができる。
【産業上の利用可能性】
【００３０】
本考案は，形状や色彩を実際の魚に似せた魚釣り用のルアーとして利用することができる。特に，リップを交換することにより，水中でのルアーの動作や潜水深度を容易に調整することができるルアーとして利用可能である。
【符号の説明】
【００３１】
１０  ルアー本体
１２  挿入部
１４  リップ支持部
１５  突起部
２０  リップ
２２  リップ本体
２４  差込部
２６  ガイド
２７  係止部
３０  整流片
３２  リップの中心軸に対して平行な整流片群
３４  傾斜した整流片群
ａ    リップの中心軸
【図１】
0003163368.tif 000003
【図２】
0003163368.tif 000004
【図３】
0003163368.tif 000005
【図４】
0003163368.tif 000006
【図５】
0003163368.tif 000007